(57)【要約】      （修正有）【課題】生ごみの腐敗を防ぎ、好気性微生物による生ごみの分解を効率良く行える生ごみ処理容器を提供する。【解決手段】生ごみ処理容器は、蓋と、容器本体１と容器本体の内部に取付けられた攪拌装置と、容器本体の外部に取付けられたハンドル５とを備える。攪拌装置は、ハンドルに連結する攪拌軸４と、攪拌軸の長手方向に対して垂直方向に設けられた攪拌羽２とを有し、攪拌羽には突起３が設けられ、ハンドルの回転に連動して回転可能である。【選択図】図１
0003173107.tif 000002
【実用新案登録請求の範囲】
【請求項１】
蓋と容器本体とを備えた生ごみ処理容器において、前記容器本体の内部に取付けられた攪拌装置と、前記容器本体の外部に取付けられたハンドルとを備え、前記攪拌装置は前記ハンドルの回転に連動して回転可能な構造であることを特徴とする生ごみ処理容器。
【請求項２】
前記攪拌装置は、前記ハンドルに連結する撹拌軸と、前記撹拌軸の長手方向に対して垂直方向に設けられた攪拌羽とを有し、前記攪拌羽には突起が設けられている構造であることを特徴とする請求項１記載の生ごみ処理容器。
【請求項３】
前記ハンドルの形状がＬ型構造であることを特徴とする請求項２記載の生ごみ処理容器。
【請求項４】
前記ハンドルが前記容器本体に沿って下向きに位置するときに、前記容器内部に取付けられた攪拌羽は上向き以外の方向に位置していることを特徴とする請求項３記載の生ごみ処理容器。
【請求項５】
前記蓋と前記容器本体の側面とに通気孔が設けられていることを特徴とする請求項１から請求項４のいずれかに記載の生ごみ処理容器。
【考案の詳細な説明】
【技術分野】
【０００１】  本考案は、生ごみ処理容器に関する。
【背景技術】
【０００２】  従来の生ごみ処理容器は下部の開口部を土中に埋め込み、土壌菌や発酵を促進させるための活性菌と併用するもので、蓋も密閉型にした嫌気性処理のものである。また、満杯になったら堆肥として活用できるまで２〜３ヶ月かかっている。
【先行技術文献】
【０００３】
【特許文献】
【特許文献】  実開平６−３３９４０号公報
【考案の概要】
【考案が解決しようとする課題】
【０００４】  本来、生ごみは各家庭での完全分解を目的としかしながらも、これまでの技術によれば、生ごみ処理容器に生ごみを投入しても密閉状態のため好気性微生物による発酵ができず分解速度も遅い。また、生ごみが腐敗して悪臭が発生し、ウジが大量発生する。更に、満杯になった容器には数ヶ月間生ごみは投入できず、堆肥化後も場所を移動して設置し直す必要があり、少なくとも２個以上の併用が必要となっている。【０００５】  そこでこの考案は、生ごみの腐敗を防ぎ、好気性微生物による生ごみの分解を効率良く行える生ごみ処理容器を提供することを課題とする。
【課題を解決するための手段】
【０００６】  以上の課題を解決するために、本考案の生ごみ処理容器は、蓋と容器本体とを備えた生ごみ処理容器において、前記容器本体の内部に取付けられた攪拌装置と、前記容器本体の外部に取付けられたハンドルとを備え、前記攪拌装置は前記ハンドルの回転に連動して回転可能な構造であることを特徴とする。【０００７】  本考案の生ごみ処理容器において、前記攪拌装置は、前記ハンドルに連結する攪拌軸と、前記攪拌軸の長手方向に対して垂直方向に設けられた攪拌羽とを有し、前記攪拌羽には突起が設けられている構造であることが好ましい。【０００８】  本考案の生ごみ処理容器において、前記ハンドルの形状をＬ型構造にすることが好ましい。【０００９】  本考案の生ごみ処理容器において、前記ハンドルが前記容器本体に沿って下向きに位置するときに、前記容器内部に取付けられた攪拌羽は上向き以外の方向に位置していることが好ましい。【００１０】  本考案の生ごみ処理容器において、前記蓋と前記容器本体の側面とに通気孔が設けられていることが好ましい。
【考案の効果】
【００１１】  以上の考案による効果としては、本考案の生ごみ処理容器で、蓋と容器本体とを備えた生ごみ処理容器において、前記容器本体の内部に取付けられた攪拌装置と、前記容器本体の外部に取付けられたハンドルとを備え、前記攪拌装置は前記ハンドルの回転に連動して回転可能な構造としたことで、投入した生ごみを粗粉砕しバイオチップとの混合もし易くなる効果があり、更に空気を取り込む効果も高まるため、好気性分解力が向上し、生ごみの腐敗を防ぎつつ分解を促進し生ごみの容量を減らす効果が高まる。【００１２】  本考案の生ごみ処理容器において、前記攪拌装置は、前記ハンドルに連結する撹拌軸と、前記撹拌軸の長手方向に対して垂直方向に設けられた攪拌羽とを有し前記攪拌羽には突起が設けられている構造にしたことで、投入した生ごみを粗粉砕しバイオチップとの混合もし易くなる効果がある。【００１３】  本考案の生ごみ処理容器において、前記ハンドルの形状をＬ型構造にすることで、小さな回転力により攪拌できる効果がある。【００１４】  本考案の生ごみ処理容器において、前記ハンドルが前記容器本体に沿って下向きに位置するときに、前記容器内部に取付けられた攪拌羽は上向き以外の方向に位置することで、安全に生ごみを投入できる効果がある。【００１５】  本考案の生ごみ処理容器において、前記蓋と前記容器本体の側面とに通気孔が設けられていることで外部から空気を取込み易くなり、容器内部に溜まったガスや水蒸気を容器外部に発散させる効果がある。
【図面の簡単な説明】
【００１６】
【図１】この考案の実施形態を示す斜視図である。
【図２】この考案の実施形態を示す平面図である。
【図３】この考案の実施形態を示す断面図である。
【図４】この考案の実施形態を示す斜視図である。
【図５】従来技術を示す斜視図である。
【考案を実施するための形態】
【００１７】  この考案の実施形態を、図１〜図４に基づいて説明する。
【実施例１】
【００１８】  図１は、本考案の実施例１に係る生ごみ処理容器の斜視図である。図２はその平面図、図３はその断面図である。
生ごみ処理容器は、蓋６と容器本体１とを備えており、容器本体１の内部には攪拌装置が取付けられ、容器本体１の外部にはハンドル５が取付けられている。【００１９】  攪拌装置は、ハンドル５に連結する攪拌軸４と、攪拌軸４の長手方向に対して垂直方向に設けられた攪拌羽２とを有し、攪拌羽２には突起３が設けられている。【００２０】  攪拌軸４がハンドル５に連結されているため、ハンドル５が回転すると攪拌軸４が回転し、これに伴って攪拌羽２は攪拌軸４を回転中心として回転する。このように、攪拌装置はハンドル５の回転に連動して回転可能な構造となっている。【００２１】  攪拌羽２は、攪拌軸４の長手方向に亘って複数設けられており、攪拌羽２の長さは、攪拌軸４の中心寄りでは長く、攪拌軸４の端部側で短くなっている。【００２２】  突起３は、図２に示すように、攪拌軸４からの距離が異なるようにそれぞれの攪拌羽２に取付けられている。突起３がこのように取付けられていることによって、バイオチップと生ごみとの混合動作が特定の場所に偏ることなく容器本体１全体で均等に行うことができる。【００２３】  図１に示すように、ハンドル５が容器本体に沿って下向きに位置するときに容器内部に取付けられた攪拌羽は上向き以外の方向、すなわち横向きや下向きに位置している。【００２４】  蓋６と容器本体１の側面には通気孔７が設けられている。【００２５】  設置時には、図３断面図に示すとおり、容器本体１内部の攪拌軸の位置まではあらかじめバイオチップを入れておき、水を散布する。【００２６】  使用時は蓋６を開け、容器本体１内部の攪拌軸から上部に生ごみを投入し、蓋６を閉めて２〜３回ハンドル５を回転させ内部を攪拌する。【００２７】  ハンドル５は、手動もしくは動力により回転させる。【００３０】  容器本体１内部の攪拌軸の位置まで、あらかじめバイオチップを入れておくことで、下部の発酵熱が上部に伝達され、生ごみと混合された分解層の部分も常時分解に必要な温度を維持できる。【００３１】  容器本体１側面の一部と、蓋６上面一部の雨水侵入が困難な箇所に、通気孔７を設けたことで、内部で発生するガスや水蒸気を外部に発散させる機能を果たすと共に外気取込を容易にし、生ごみ処理容器内部を好気性に保つ機能も果たす。【００３２】  これまで述べた構造機能により、生ごみ処理容器内部を微生物が活動し易い４０度〜７０度に保持することができ、投入した生ごみを好気性菌の働きで従来型の堆肥化容器に比べて短時間で分解できる。【００３３】  こうしたことで、投入可能容量も初期スペースは少ないがバイオチップの発酵分解は３ヶ月以上にわたり維持できるため、生ごみは増えない機能になっている。【００３４】  図１〜図４に示している物は、プラスチック製の底無し円筒形であるが、材質ならびに形状は特定するものではない。【００３５】  発酵分解力に関しては、底無しの方が効果は高い。
【実施例２】
【００３６】  図４は、本考案の実施例２に係る生ごみ処理容器の斜視図である。実施例２では、ハンドルの形状がＬ型構造となるように構成されている。これによって、ハンドル５の取手の位置が、攪拌軸４の一端から遠くなるため、より小さな回転力で攪拌することができる。
【符号の説明】
【００３７】１  容器本体
２  攪拌羽
３  突起
４  攪拌軸
５  ハンドル
６  蓋
７  通気孔
８  取手
【図１】
0003173107.tif 000003
【図２】
0003173107.tif 000004
【図３】
0003173107.tif 000005
【図４】
0003173107.tif 000006
【図５】
0003173107.tif 000007